(57)【要約】【課題】外部に面する実装部品を実装しない場合に、該実装部品の代わりにカバーとなるシールド部品を、シールド部品としての機能に加えて、該実装部品を実装する場合には、該実装部品を取付ける機能も持たせる。【解決手段】シールド部品を２つに分割した、シールド板金５０１にフック５０２を設ける。シールド部品として使用する場合は、フック５０２でシールド板金５０１を１つに結合する。ファイル装置１０２を実装する場合は、２つに分割した、シールド板金５０１をファイル装置１０２の左右にそれぞれ取付けて、ファイル装置１０２をファイルベイ１０３に実装する為のアタッチメント部品として使用する。【選択図】  図５
2004272401.tif 000002
【特許請求の範囲】
【請求項１】
拡張デバイスを増設可能なファイルベイと前記ファイルベイの装置外部への開口部を封止するカバー部品とを備えた情報処理装置において、前記カバー部品は、拡張デバイスの増設時に複数に分割されて、拡張デバイスの取り付け部品となることを特徴とするカバー部品を備えた情報処理装置。
【請求項２】
拡張ボードを増設可能なボード増設部と前記ボード増設部の装置外部への開口部を封止するカバー部品とを備えた情報処理装置において、
前記カバー部品は、拡張ボードの増設時に、該拡張ボードの支持部材となることを特徴とするカバー部品を備えた情報処理装置。
【発明の詳細な説明】
【０００１】
【発明の属する技術分野】
本発明は、ＨＤＤ等のドライブを増設可能な情報処理装置に関し、ドライブの搭載部を封止するカバー部品に好適な技術に関する。
【０００２】
【従来の技術】
ＨＤＤ等のドライブを増設可能な情報処理装置では、図４に示すように、ドライブを搭載していない場合、前記ドライブの搭載部（ファイルベイ）の空きスロットの開口部に、情報処理装置内部の不要輻射ノイズが外部に漏洩するの防止する等のため、蓋となるシールド部品を取付けている。図４において、４０１はシールド部品であり、ファイルベイ１０３の３つのスロット全てに、シールド部品４０１を前側から取付けている。
【０００３】
また、ＨＤＤ等のドライブの搭載は、つぎのようにおこなわれていた。（１）外部に面する実装部品の実装は直接本体に横から固定する構造、（２）一旦、ファイル装置をアタッチメント部品に取付けて、アタッチメント部品を本体に固定する構造の二つが一般的である。（２）の構造では、さらに、（３）本体とアタッチメント部品をスライド可能な構成とすることにより、本体への固定を前方からのみ行う構造のものもある。この構造では外部に面する実装部品の左右２箇所ではなく、前方一箇所のみからのアクセス（周りの部品を取り外す）だけで良いという利点がある。これらの構造については、実施例中で詳細に説明する。
【０００４】
上記ファイルベイの構造に関する技術としては、例えば、特許文献１がある。
【０００５】
【特許文献１】
特開２０００−２００４７６号公報
【０００６】
【発明が解決しようとする課題】
前記従来技術では、シールド部品は、スロットにファイル装置を取付ける場合は不要となるため、取り外して保管しなければならなかった。将来搭載部品の変更がない場合には特に問題ないが、構成変更があり該スロットを空きにする場合には、開口部を前記シールド部品で封止する必要がある。シールド部品がないと情報処理装置内部の不要輻射ノイズが外部に漏洩する等の問題がある。
【０００７】
また、ファイルベイにすらスライド機構を設ける構成では、ファイルベイの空きスロットにシールド部品を取付けると共に、空きスロットの数だけ、スライド機構のためのアタッチメント部品を情報装置装置に添付しなければならなかった。
【０００８】
【課題を解決するための手段】
上記課題を解決するために、本発明では、情報処理装置のシールド部品を上下に分割した構造とし、さらに、上下に分割したシールド部品にフックを設けておき、シールドとして使用する場合は、そのフックを結合して、１つのシールド部品として機能するようにした。ファイル装置を取付ける際には２つに分割してアタッチメント部品として使用できる構造にする。
【０００９】
これにより、これまで３部品（シールド部品、アタッチメント部品左右２部品）必要だった構成が、上下に分けたシールド部品２部品だけの構成になる。また、ファイル装置を実装している時はシールド部品、ファイル装置を実装していない時はアタッチメント部品を、それぞれ、情報処理装置本体とは別に保管しておく必要がなくなる。
【００１０】
【発明の実施の形態】
以下、本発明の実施例を、図面により詳細に説明する。
図１は構成（１）の機構を備えた情報処理装置の斜視図である。
図１において、１０１は情報処理装置のシャーシ、１０２はファイル装置、１０３はファイルベイである。この構成ではファイル装置を、直接ファイルベイ１０３に左右から固定している。その為、ファイルベイの左右の部品を取り外す必要がある。
【００１１】
図２は一般的な情報処理装置の斜視図である。
図２において、２０１は左カバー、２０２は右カバーである。構成▲１▼の機構では、ファイル装置１０２を取り外すのに、左カバー２０１と、右カバー２０２の両方を取り外す必要がある。
【００１２】
図３は構成（３）の機構を備えたファイルベイの斜視図であり、（ａ）はファイル装置にアタッチメント部品を取付けている図で、（ｂ）はファイル装置をファイルベイに取付けている図である。
【００１３】
図３において、３０１はアタッチメント部品、３０２はガイドレールである。ファイル装置１０２の左右にアタッチメント部品３０１を取付け、そのアタッチメント部品３０１をファイルベイ１０３に設けられたガイドレール３０２に沿って、前面からファイルベイ１０３にスライドさせて、前面から固定する。この構成▲３▼では構成▲１▼とは異なり、ファイルベイ１０３の左右の部品、図２で示すところの左カバー２０１と、右カバー２０２を取り外す必要がない。
【００１４】
以下に本発明を適用した詳細例を説明する。
（第１の実施形態）
図５は第１の実施形態を示すもので、（ａ）は２分割したシールド部品を示し、（ｂ）はシールド部品をファイルベイに取付ける構成を示し、（ｃ）はアタッチメント部品をファイル装置に取付ける構成を示し、（ｄ）はファイル装置をファイルベイに取付ける構成を示している。図５において、５０１はシールド板金Ａ、５０２はフックである。（ａ）に示すように、シールド板金Ａ５０１は、フック５０２を備えており、そのフック５０２を結合させることで、１つの部品として使用できる。（ｂ）に示すように、１つに結合したシールド板金Ａ５０１を、１つのシールド部品と同じようにファイルベイ１０３に取付けることができる。（ｃ）に示すように、分割したシールド板金Ａ５０１をアタッチメント部品として、ファイル装置１０２の左右に、それぞれ取付けることができる。（ｄ）に示すように、シールド板金Ａ５０１を、アタッチメント部品として左右に取付けたファイル装置１０２をガイドレール３０２に沿って、ファイルベイ１０３にスライドして取り付けることができる。
【００１５】
以上の構造により、シールド部品を２分割することで、ファイル装置を実装する時はアタッチメント部品として、ファイル装置を実装しないときはシールド部品として使用でき、シールド板金Ａ５０１という一種類の部品で、それぞれの状況で異なった機能を持たせることができる。
【００１６】
（第２の実施形態）
図６は第２の実施形態を示すもので、（ａ）は４分割したシールド部品を示し、（ｂ）はシールド部品をファイルベイに取付ける構成を示し、（ｃ）はアタッチメント部品をファイル装置に取付ける構成を示し、（ｄ）はファイル装置をファイルベイに取付ける構成を示している。図６において、６０１はシールド板金Ｂ、６０２はシールド板金Ｃ、６０３は薄型ファイル装置である。（ａ）に示すように、シールド板金Ｂ６０１、シールド板金Ｃ６０２は、フック５０２を備えており、そのフック５０２を結合させることで、１つの部品として使用できる。（ｂ）に示すように、１つに結合したシールド板金Ｂ６０１、シールド板金Ｃ６０２を、１つのシールド部品と同じようにファイルベイ１０３に取付けることができる。（ｃ）に示すように、分割したシールド板金Ｂ６０１をアタッチメント部品として、薄型ファイル装置６０３の左右に、それぞれ取付けることができる。（ｄ）に示すように、アタッチメント部品として、シールド板金Ｂ６０１を左右に取付けた薄型ファイル装置６０３をガイドレール３０２に沿って、ファイルベイ１０３にスライドして取り付けることができる。このとき、分割したシールド板金Ｃ６０２は、そのシールド板金Ｃ６０２単品でファイルベイ１０３に取付けることにより、薄型ファイル装置６０３が通常のファイル装置より薄いことで生じた隙間を塞いでいる。
【００１７】
以上の構造により、シールド部品を４分割することで、通常のファイル装置より薄いファイル装置を実装する時は、分割した中央の２つのシールド板金をアタッチメント部品として、分割した上下の２つのシールド板金を、隙間を塞ぐシールド部品として使用できる。また、ファイル装置を実装しないときは、結合して、通常のシールド部品として使用できる。
【００１８】
（第３の実施形態）
図７は第３の実施形態を示すもので、（ａ）〜（ｅ）は拡張ボードを取付ける構成を示している。（ａ）、（ｂ）は情報処理装置の前側からの斜視図であり、（ｃ）〜（ｅ）は後側からの斜視図である。図７において、７０１はマザーボードを示し、７０２はコネクタを示し、７０３は拡張ボードシールドを示し、７０４は拡張ボードを示し、７０５は拡張ボードシールド取付機構を示している。（ｂ）に示すように、情報処理装置はマザーボード７０１を有し、マザーボード７０１はコネクタ７０２を有している。コネクタ７０２は拡張ボード７０４とマザーボード７０１を結合させるコネクタである。シャーシ１０１には、拡張ボード７０４が実装されない場合のカバーとして、拡張ボードシールド７０３が取付けられている。従来では、拡張ボードシールド７０３は拡張ボード７０４を取付ける場合は、取り外して保管しておく必要がある。
【００１９】
以下に第３の実施形態における、拡張ボード７０４を情報処理装置に取付ける説明を行う。まず、（ａ）に示すように、拡張ボードシールド７０３を取り外す。次に、（ｂ）に示すように、拡張ボード７０４をコネクタ７０２に結合して取付ける。通常はこのように、拡張ボードは装置の後側で、固定される。拡張ボードには、長いものがあり、長い拡張ボードは、（ｃ）に示すように、前側を支えていない場合は振動が加わった場合、破損してしまう可能性がある。その破損を防ぐ為に、従来は、長い拡張ボードの前面を支持する為に、専用のガイドレールがシャーシ１０１に取付けられている。本実施形態では、専用のガイドレールを用いずに、拡張ボード７０４を取付ける為に、取り外した拡張ボードシールド７０３を使用する。（ｄ）に示すように、シャーシ１０１の前側に、拡張ボードシールド取付機構７０５を設け、拡張ボードシールド取付機構７０５に拡張ボードシールド７０３を取付ける。拡張ボードシールド７０３は、ガイドレール３０２を備えている。次に、（ｅ）に示すように、拡張ボード７０４を取付ける。本実施形態では、拡張ボード７０４の先端を、拡張ボードシールド７０３の、ガイドレール３０２を用いて支持している。
【００２０】
以上の構造により、拡張ボードを取付けない場合のカバーである、拡張ボードシールドを、拡張ボードを取付ける場合は、シャーシの前側に取付けることによって、拡張ボードを支持する機能をもたせることができる。そのため、専用の拡張ボードを支持するためのガイドレールが不要であり、また、拡張ボードシールドを装置の外部に保管する必要がなくなる。
【００２１】
【発明の効果】
本発明によれば、外部に面する実装部品を実装しない場合に、該実装部品の代わりにカバーとなる部品を、該実装部品を実装する場合には、該実装部品を固定する機能を持たせることにより、部品点数の削減と、該カバー部品の保管の必要性がなくすことが可能である。
【図面の簡単な説明】
【図１】ファイル装置をシャーシに直接固定する形態を示す図である。
【図２】ファイル装置を取付ける為に左右のカバーを外す形態を示す図である。
【図３】ファイル装置をアタッチメント部品を介してシャーシに固定する形態を示す図である。
【図４】シールド部品をシャーシに固定する形態の概要を示す図である。
【図５】本発明の第１の実施形態を示す図である。
【図６】本発明の第２の実施形態を示す図である。
【図７】本発明の第３の実施形態を示す図である。
【符号の説明】
１０１…シャーシ、１０２…ファイル装置、１０３…ファイルベイ、２０１…左カバー、２０２…右カバー、３０１…アタッチメント部品、３０２…ガイドレール、４０１…シールド部品、５０１…シールド板金Ａ、５０２…フック、６０１…シールド板金Ｂ、６０２…シールド板金Ｃ、６０３…薄型ファイル装置、７０１…マザーボード、７０２…コネクタ、７０３…拡張ボードシールド、７０４…拡張ボード、７０５…拡張ボードシールド取付機構
【図１】
2004272401.tif 000003
【図２】
2004272401.tif 000004
【図３】
2004272401.tif 000005
【図４】
2004272401.tif 000006
【図５】
2004272401.tif 000007
【図６】
2004272401.tif 000008
【図７】
2004272401.tif 000009